(57)【要約】  通信システム内の物理チャネル上を送信される共有制御チャネルを検知する際に用いる検知方策が選択される。これは、以前に選択された検知方策を用いて当該共有制御チャネルを検知するステップを含んでいる。検知された共有制御チャネルの出力が測定される。測定された出力と、当該通信システムで用いる１個以上の他の物理チャネルに関連付けられた少なくとも２個のパラメータの各々との相関を求めることにより少なくとも２個の相関結果が得られる。当該少なくとも２個の相関結果に基づいて、共有制御チャネルを検知する際に用いる検知方策が選択される。【図】図２
2008547247.tif 000002
【特許請求の範囲】
【請求項１】
通信システム内の物理チャネル上を送信される共有制御チャネルを検知する際に用いる検知方策を選択する方法であって、
以前に選択された検知方策を用いて前記共有制御チャネルを検知するステップと、
前記検知された共有制御チャネルの出力を測定するステップと、
前記測定された出力と、前記通信システムで用いる１個以上の他の物理チャネルに関連付けられた少なくとも２個のパラメータの各々との相関を求めることにより、少なくとも２個の相関結果を得るステップと、
前記少なくとも２個の相関結果に基づいて、前記共有制御チャネルを検知する際に今度用いる検知方策を選択するステップとを含む方法。
【請求項２】
前記少なくとも２個のパラメータの１個が他の物理チャネルの出力測定値である、請求項１に記載の方法。
【請求項３】
前記少なくとも２個のパラメータの１個が信号対雑音比である、請求項１に記載の方法。
【請求項４】
前記少なくとも２個のパラメータの１個が他の物理チャネルの受信品質の指標である、請求項１に記載の方法。
【請求項５】
前記通信システムが、広帯域符号分割多重アクセス（ＷＣＤＭＡ）通信システムである、請求項１に記載の方法。
【請求項６】
前記少なくとも２個のパラメータの１個がチャネル品質指標（ＣＱＩ）である、請求項５に記載の方法。
【請求項７】
前記相関結果の一つが、前記検知された共有制御チャネルの前記測定された出力がＣＱＩと相関を有することを示す場合、前記共有制御チャネルを検知する際に今度用いる検知方策を選択するステップが、前記共有制御チャネルを検知するように割り当てられる逆スプレッダの個数を増やすステップを含む、請求項６に記載の方法。
【請求項８】
前記共有制御チャネルが高速共有制御チャネル（ＨＳ−ＳＣＣＨ）である、請求項５に記載の方法。
【請求項９】
前記１個以上の他の物理的チャネルの１個が共通パイロットチャネル（ＣＰＩＣＨ）である、請求項８に記載の方法。
【請求項１０】
前記相関結果の一つが、前記検知された共有制御チャネルの前記測定された出力がＣＰＩＣＨと相関を有することを示す場合、前記共有制御チャネルを検知する際に今度用いる検知方策を選択するステップが、前記共有制御チャネルを検知するように割り当てられる逆スプレッダの個数を減少させるステップを含む、請求項９に記載の方法。
【請求項１１】
前記１個以上の他の物理的チャネルの１個が専用物理制御チャネル（ＤＰＣＣＨ）である、請求項８に記載の方法。
【請求項１２】
前記相関結果の一つが、前記検知された共有制御チャネルの前記測定された出力がＤＰＣＣＨの信号対干渉比と相関を有するか否かを示し、
前記共有制御チャネルを検知する際に今度用いる検知方策を選択するステップが、ソフト・ハンドオーバーの間に、
条件ＳＩＲ１＜ＳＩＲｒｅｆ−ｋ（ｄＢ）（式中、ＳＩＲ１はユーザー設備（ＵＥ）がサービス提供セルだけから受ける信号対干渉比を表わし、ＳＩＲｒｅｆはＵＥが全てのセルの組合せから受ける信号対干渉比を表わし、ｋは所定の定数である）が真である否かを決定し、且つ、
条件ＳＩＲ１＜ＳＩＲｒｅｆ−ｋ（ｄＢ）が真である場合、ＳＩＲ１だけに基づいてアップリンク送信電力制御（ＴＰＣ）を選択するステップの実行を含む、請求項１１に記載の方法。
【請求項１３】
前記相関結果の一つが、前記検知された共有制御チャネルの前記測定された出力がＤＰＣＣＨの信号対干渉比と相関を有するか否かを示し、
前記共有制御チャネルを検知する際に今度用いる検知方策を選択するステップが、前記相関結果の一つが前記検知された共有制御チャネルの前記測定された出力がＤＰＣＣＨの信号対干渉比と相関を有することを示す場合に、前記共有制御チャネルの検知に用いるＲＡＫＥ検知器を選択するステップを含む、請求項１１に記載の方法。
【請求項１４】
検知方策を選択するステップが、前記共有制御チャネルを検知する際に用いるＲＡＫＥフィンガーの個数を選択するステップを含む、請求項１に記載の方法。
【請求項１５】
検知方策を選択するステップが、検知アルゴリズムを選択するステップを含む、請求項１に記載の方法。
【請求項１６】
検知アルゴリズムを選択するステップが、ＲＡＫＥ受信器を用いるか否かを選択するステップを含む、請求項１５に記載の方法。
【請求項１７】
検知アルゴリズムを選択するステップが、Ｇ−ＲＡＫＥ受信器を用いるか否かを選択するステップを含む、請求項１５に記載の方法。
【請求項１８】
検知アルゴリズムを選択するステップが、出力制御方策を選択するステップを含む、請求項１に記載の方法。
【請求項１９】
通信システム内の物理チャネル上を送信される共有制御チャネルを検知する際に用いる検知方策を選択する装置であって、
以前に選択された検知方策を用いて前記共有制御チャネルを検知するロジックと、
前記検知された共有制御チャネルの出力を測定するロジックと、
前記測定された出力と、前記通信システムで用いる１個以上の他の物理チャネルに関連付けられた少なくとも２個のパラメータの各々との相関を求めることにより、少なくとも２個の相関結果を得るロジックと、
前記少なくとも２個の相関結果に基づいて、前記共有制御チャネルを検知する際に今度用いる検知方策を選択するロジックとを含む装置。
【請求項２０】
前記少なくとも２個のパラメータの１個が他の物理チャネルの出力測定値である、請求項１９に記載の装置。
【請求項２１】
前記少なくとも２個のパラメータの１個が信号対雑音比である、請求項１９に記載の装置。
【請求項２２】
前記少なくとも２個のパラメータの１個が他の物理チャネルの受信品質の指標である、請求項１９に記載の装置。
【請求項２３】
前記通信システムが、広帯域符号分割多重アクセス（ＷＣＤＭＡ）通信システムである、請求項１９に記載の装置。
【請求項２４】
前記少なくとも２個のパラメータの１個がチャネル品質指標（ＣＱＩ）である、請求項２３に記載の装置。
【請求項２５】
前記相関結果の一つが、前記検知された共有制御チャネルの前記測定された出力がＣＱＩと相関を有することを示す場合、前記共有制御チャネルを検知するように割り当てられる逆スプレッダの個数を増やすことにより、前記共有制御チャネルを検知する際に今度用いる検知方策を選択するロジックを含む、請求項２４に記載の装置。
【請求項２６】
前記共有制御チャネルが高速共有制御チャネル（ＨＳ−ＳＣＣＨ）である、請求項２３に記載の装置。
【請求項２７】
前記１個以上の他の物理的チャネルの１個が共通パイロットチャネル（ＣＰＩＣＨ）である、請求項２６に記載の装置。
【請求項２８】
前記少なくとも２個の相関結果に基づいて、前記共有制御チャネルを検知する際に今度用いる検知方策を選択するロジックが、
前記相関結果の一つが、前記検知された共有制御チャネルの前記測定された出力がＣＰＩＣＨと相関を有することを示す場合、前記共有制御チャネルを検知するように割り当てられる逆スプレッダの個数を減少させる、請求項２７に記載の装置。
【請求項２９】
前記１個以上の他の物理的チャネルの１個が専用物理制御チャネル（ＤＰＣＣＨ）である、請求項２６に記載の装置。
【請求項３０】
前記相関結果の一つが、前記検知された共有制御チャネルの前記測定された出力がＤＰＣＣＨの信号対干渉比と相関を有するか否かを示し、
前記共有制御チャネルを検知する際に用いる検知方策を選択するロジックが、前記相関結果の一つが前記検知された共有制御チャネルの前記測定された出力がＤＰＣＣＨの信号対干渉比と相関を有することを示す場合に、ソフト・ハンドオーバーの間に、
条件ＳＩＲ１＜ＳＩＲｒｅｆ−ｋ（ｄＢ）（式中、ＳＩＲ１はユーザー設備（ＵＥ）がサービス提供セルだけから受ける信号対干渉比を表わし、ＳＩＲｒｅｆはＵＥが全てのセルの組合せから受ける信号対干渉比を表わし、ｋは所定の定数である）が真である否かを決定し、且つ、
条件ＳＩＲ１＜ＳＩＲｒｅｆ−ｋ（ｄＢ）が真である場合、ＳＩＲ１だけに基づいてアップリンク送信電力制御（ＴＰＣ）を選択するステップを実行する、請求項２９に記載の装置。
【請求項３１】
前記相関結果の一つが、前記検知された共有制御チャネルの前記測定された出力がＤＰＣＣＨの信号対干渉比と相関を有するか否かを示し、
前記少なくとも２個の相関結果に基づいて、前記共有制御チャネルを検知する際に今度用いる検知方策を選択するロジックが、前記相関結果の一つが前記検知された共有制御チャネルの前記測定された出力がＤＰＣＣＨの信号対干渉比と相関を有することを示す場合に、前記共有制御チャネルを検知する際に用いるＲＡＫＥ検知器を選択するステップを実行する、請求項２９に記載の装置。
【請求項３２】
検知方策を選択するロジックが、前記共有制御チャネルを検知する際に用いるＲＡＫＥフィンガーの個数を選択するロジックを含む、請求項１９に記載の装置。
【請求項３３】
検知方策を選択するロジックが、検知アルゴリズムを選択するロジックを含む、請求項１９に記載の装置。
【請求項３４】
検知アルゴリズムを選択するロジックが、ＲＡＫＥ受信器を用いる否かを選択するロジックを含む、請求項３３に記載の装置。
【請求項３５】
検知アルゴリズムを選択するロジックが、Ｇ−ＲＡＫＥ受信器を用いるか否かを選択するロジックを含む、請求項３３に記載の装置。
【請求項３６】
検知アルゴリズムを選択するロジックが、出力制御方策を選択するロジックを含む、請求項１９に記載の装置。
【発明の詳細な説明】
【技術分野】
【０００１】
背景
本発明は電気通信に関し、特に共有チャネルにより送信された情報を検知する技術に関する。
【背景技術】
【０００２】
高速ダウンリンク・パケットデータ・アクセス（ＨＳＤＰＡ）は、第３世代パートナーシップ・プロジェクト（３ＧＰＰ）ＷＣＤＭＡ仕様のリリース５版で指定された広帯域コード分割多重アクセス（ＷＣＤＭＡ）が進化したものである。ＨＳＤＰＡは、より高次の変調（１６−ＱＡＭ）、複数のコード（拡散係数１６で１５個以下）、およびダウンリンク・チャネル・フィードバック情報を用いて、より高いビットレート（１０Ｍｂｉｔ／秒以上）をもたらす。ダウンリンク・チャネル・フィードバック情報は、ダウンリンク・チャネルの品質に関して基地局へ送られる情報である。３ＧＰＰ用語で「ノードＢ」と呼ばれる基地局（ＢＳ）は最適なスループットを得るため、この情報を用いて変調およびコーディングを最適化する。更に、ハイブリッドＡＲＱもまた、誤って受信したパケットの往復遅延を減らすべく物理層に配置される。
【０００３】
ＨＳＤＰＡは、以下のように機能する。接続モードで動作するユーザー設備（ＵＥ）は、アップリンク（ＵＬ）高速専用物理制御チャネル（ＨＳ−ＤＰＣＣＨ）により、チャネル品質指標（ＣＱＩ）レポートを連続的にＨＳＤＰＡサービス提供ノードＢに送信する。ＣＱＩは、サービス提供ノードＢがダウンリンク・スループットを最適化できるようにすべく、即時ダウンリンク（ＤＬ）チャネル品質に関してサービス提供ノードＢに通知する。ＣＱＩは、例えば、信号対干渉比（ＳＩＲ）の関数であってよく、特定の関数はより高次の層のパラメータ（例：利用可能ＨＳ出力等）に依存する。ＵＥがサービス提供ノードＢによりスケジューリングされていてデータ・パケットがＵＥに発信される場合、ＨＳ共有制御チャネル（ＨＳ−ＳＣＣＨ）を用いて、ＵＥが間近の通信に用いる情報、例えばデータ・パケットおよび搬送形式に関する情報、再送信番号等をＵＥに通知する。
【０００４】
ＵＥは、ＨＳ−ＳＣＣＨへ送信された情報を復調する。情報が当該特定ＵＥ（これが共有チャネルであるため情報が他のＵＥへも転送できることを想起されたい）へ宛てられている場合、ＵＥは高速物理ダウンリンク共有チャネル（ＨＳ−ＰＤＳＣＨ）へ送信されたデータ・パケットを受信して検知する。ＵＥは次いで、ＨＳ−ＤＰＣＣＨにより、サービス提供ノードＢへ肯定応答（ＡＣＫ）または否定応答（ＮＡＣＫ）を送信する。ＮＡＣＫまたはＡＣＫを受信したか否かに応じて、ノードＢは、（誤った検知パケットと組み合わせることができ、これにより符号化ゲインが実現できる）同一パケットを再送信するか、または新規パケットが存在すればそれを送信する。
【０００５】
上記の説明から分かるように、ＵＥがＨＳ−ＳＣＣＨに関する情報を検知できることは、検知無しには全くデータを受信できないため、極めて重要である。ＵＥがＨＳ−ＳＣＣＨを検知しない場合、（ＵＥは自身がデータ・パケットの意図された受信側であったことを認識していないため）ＡＣＫ／ＮＡＣＫが送信されない。その結果、アップリンクＨＳ−ＤＰＣＣＨ  ＡＣＫ／ＮＡＣＫフィールドに非連続的送信（ＤＴＸ）が生じる。ノードＢはＤＴＸを検知することができ、これによりパケットを再送信することができる。しかし、この結果スループットにおける損失が生じる。更に、ＵＬ  ＡＣＫ／ＮＡＣＫがバイナリ信号であるため、ＤＴＸが全く検知されない恐れがある。従って、ＡＣＫは振幅値＋１を意味し、ＮＡＣＫは振幅値−１を意味する。「何も無い」（ＤＴＸ）は、送信されたＡＣＫ／ＮＡＣＫビットが無いことに対応する。すなわち、基地局検知器において、出力はゼロの筈である。しかし、雑音その他の問題に起因して、ゼロが誤って＋１または−１として検知される場合があり、ＤＴＸをＡＣＫおよびＮＡＣＫから区別することが困難になる（すなわち、誤ってＤＴＸを検知する確率が極めて高くなる）。ＤＴＸがＡＣＫとして解釈された場合、より高次の層で再送信を起動する必要が生じ、結果的にいくつかのパケットを再送信する必要が生じる。この結果、スループットが大幅に低下する。従って、ＵＥスループットの観点から、またシステム容量の観点から、良好なＨＳ−ＳＣＣＨ検知性能が重要である。
【０００６】
この問題の簡単な解決策の一つは、検知に失敗する確率を下げるべくＨＳ−ＳＣＣＨ検知器を再調整することである。しかし、これと引き換えに誤警報（すなわち、ＵＥが、実際には受信していないＨＳ−ＳＣＣＨ送信を受信したと「考える」）確率が上昇する。そのような誤警報は、ＵＥの出力消費を大幅に増やし、結果的に通話時間の短縮その他の関連する問題が生じる。従ってこの解決策は好ましくない。
【０００７】
ＨＳ−ＳＣＣＨへの送信を正確に検知する能力は、ＨＳ−ＳＣＣＨへの情報送信に用いる出力レベルに関係している。しかし、ＨＳ−ＳＣＣＨの正確な出力設定はサービス提供ノードＢに依存し、送信電力レベルの設定方策はノード毎に異なり得る。例えば、ＨＳ−ＳＣＣＨ送信電力は、専用物理制御チャネル（ＤＰＣＣＨ）に用いる出力レベル（すなわち制御される出力）に関係し得る。あるいは、出力はＣＱＩ（例：現在のＨＳ−ＰＤＳＣＨ  ＳＩＲ）に関係し得る。更に別の代替策において、ＨＳ−ＳＣＣＨの送信電力は、一定の出力（例：共通パイロットチャネルすなわち「ＣＰＩＣＨ」として）に設定することができる。他の方法もまた可能である。
【０００８】
これらの異なる方法の全てに一長一短がある。例えば、ＤＰＣＣＨへの出力オフセットにより、ソフト・ハンドオーバー（ＳＨＯ）の間にＨＳ−ＳＣＣＨに性能上の問題が生じる恐れがある。これはＨＳ−ＳＣＣＨがＳＨＯに対応していない一方、ＤＰＣＣＨは対応している結果、ＨＳ−ＳＣＣＨについてＳＨＯゲインが存在しないためである。従って、ＤＰＣＣＨにサービス提供している非ＨＳＤＰＡに出力の大部分がある、極めて非対称的なＤＬ群の場合、結果的に極めて劣悪なＨＳ−ＳＣＣＨ検知性能が生じる。
【０００９】
一方、ＨＳ−ＳＣＣＨの出力をＣＱＩに関係付けることは、ノードＢがＨＳ−ＰＤＳＣＨとＨＳ−ＳＣＣＨ受信性能との関係を推測する必要があることを意味する。しかし、ノードＢは、そのような推測を行なう良好な根拠を有していない恐れがある。例えば、ＵＥはＨＳ−ＰＤＳＣＨを受信するために何らかの先端的な検知器（例：汎用ＲＡＫＥ、すなわち「Ｇ−ＲＡＫＥ」受信器）を用いてよいが、困難なリアルタイム要件に起因して、ＨＳ−ＳＣＣＨの受信に同様の技術を使用しない場合がある。従って、ＵＥのＨＳ−ＳＣＣＨ受信とＨＳ−ＰＤＳＣＨ受信の間の相対性能は、ノードＢの「推測」に比較して異なる場合がある。その結果、ＵＥのＨＳ−ＳＣＣＨ受信性能は、いくつかのＣＱＩ群では劣っていて、他の物では優れている場合がある。これは再び、結果的にスループットの損失をもたらす。
【００１０】
最後に、ＨＳ−ＳＣＣＨの送信電力が一定レベルに設定されている場合を考える。ここで、信号がセルの境界に到達できることを保証すべく高いレベルを選択することができる。これは、良好な性能を提供しながら、電流の使用が少ない簡単な検知器の利用が可能になるため、ＵＥの観点からはある意味で良好な解決策である。しかし、これは結果的に容量損失をもたらすため、サービス提供ノードＢの観点からは望ましい解決策ではない。
【発明の開示】
【発明が解決しようとする課題】
【００１１】
上記の説明から、任意の数のＨＳ−ＳＣＣＨ出力設定方策をサービス提供ノードＢが採用できるようにしつつ、ＨＳ−ＳＣＣＨに送信された情報の検知を最適化する、ＵＥ内の方法および装置が必要であることは明らかである。この課題は特にＨＳＤＰＡ通信システムを参照して記載しているが、他の標準に準拠する通信システムにも同様の課題が存在することが直ちに明らかになる。従って、これら他のシステムにおいても解決策が必要である。
【課題を解決するための手段】
【００１２】
概要
用語「含む」および「含んでいる」が、本明細書で用いる際には、記載された特徴、整数、ステップまたは構成要素の存在を指定するものとして解釈されることを強調しておく。しかし、これらの用語の使用は、１個以上の他の特徴、整数、ステップ、構成要素またはそのグループの存在または追加を除外しない。
【００１３】
本発明の一態様によれば、上述の、およびその他の態様は、通信システムの物理チャネル上を送信される共有制御チャネルの検知に用いる検知方策を選択する方法および装置により実現される。選択には、以前に選択された検知方策を用いて当該共有制御チャネルを検知するステップが含まれる。検知された共有制御チャネルの出力が測定される。また、測定された出力と、通信システムで用いる１個以上の他の物理チャネルに関連付けられた少なくとも２個のパラメータの各々との相関を求めることにより少なくとも二つの相関結果が得られる。共有制御チャネルを検知する際に用いる検知方策の選択はこれら少なくとも二つの相関結果に基づいている。
【００１４】
各種の代替的な実施形態において、１個以上の他の物理チャネルに関連付けられたパラメータは、他の物理チャネルの出力測定値、信号対雑音比、他の物理チャネルの受信品質の指標のうちの１個以上を含んでいてよい。
【００１５】
いくつかの実施形態において、通信システムは、広帯域符号分割多重アクセス（ＷＣＤＭＡ）通信システムである。このような実施形態において、１個以上の他の物理チャネルに関連付けられた少なくとも２個のパラメータの１個はチャネル品質指標（ＣＱＩ）であってよい。
【００１６】
別の態様において、相関結果のうち１個が、検知された共有制御チャネルの測定された出力がＣＱＩと相関を有することを示す場合、共有制御チャネルを検知する際に今度用いる検知方策を選択するステップが、共有制御チャネルを検知するように割り当てられる逆スプレッダの個数を増やすステップを含んでいる。
【００１７】
別の態様において、いくつかの実施形態の共有制御チャネルはＨＳ−ＳＣＣＨである。
【００１８】
１個以上の他の物理チャネルの１個は、共通パイロットチャネル（ＣＰＩＣＨ）であってよい。また、いくつかの実施形態において、相関結果の一つが、検知された共有制御チャネルの測定された出力がＣＰＩＣＨと相関を有することを示す場合、共有制御チャネルを検知する際に用いる検知方策の選択が共有制御チャネルを検知するように割り当てられる逆スプレッダの個数を減少させるステップを含んでいる。
【００１９】
いくつかの実施形態において、１個以上他の物理チャネルの１個は専用物理制御チャネル（ＤＰＣＣＨ）である。これらの実施形態のいくつかにおいて、相関結果の一つが、検知された共有制御チャネルの測定された出力がＤＰＣＣＨの信号対干渉比と相関を有するか否かを示し、共有制御チャネルを検知する際に用いる検知方策の選択はソフト・ハンドオーバーの間に、
条件ＳＩＲ１＜ＳＩＲｒｅｆ−ｋ（ｄＢ）（式中、ＳＩＲ１はユーザー設備（ＵＥ）がサービス提供セルだけから受ける信号対干渉比、ＳＩＲｒｅｆはＵＥが全てのセルの組合せから受ける信号対干渉比を表わし、ｋは所定の定数である）が真であるか否かを判定するステップと、
条件ＳＩＲ１＜ＳＩＲｒｅｆ−ｋ（ｄＢ）が真である場合、ＳＩＲ１だけに基づいてアップリンク送信電力制御（ＴＰＣ）を選択するステップの実行を含んでいる。
【００２０】
更に別の態様において、相関結果の一つが、検知された共有制御チャネルの測定された出力がＤＰＣＣＨの信号対干渉比と相関を有するか否かを示すことができ、そのような実施形態において、相関結果の一つが、検知された共有制御チャネルの測定された出力がＤＰＣＣＨの信号対干渉比と相関を有することを示す場合、共有制御チャネルを検知する際に用いる検知方策の選択が共有制御チャネルを検知する際に用いるＲＡＫＥ検知器を選択するステップを含んでいる。
【００２１】
更に他の態様において、検知方策の選択は、共有制御チャネルを検知する際に用いるＲＡＫＥフィンガーの個数を選択するステップと、検知アルゴリズム（例：ＲＡＫＥ受信器を用いるか否かの選択、および／またはＧ−ＲＡＫＥ受信器を用いるか否かの選択）を選択するステップの１個以上を含んでいてよい。
【００２２】
本発明の態様および利点は、図面と合わせて以下の詳細な説明を精査することにより理解されよう。
【発明を実施するための最良の形態】
【００２３】
詳細な説明
以下に本発明のさまざまな特徴について図面を参照しつつ説明するが、同一部材は同一参照符号で示す。
【００２４】
以下に本発明のさまざまな態様について、多くの例示的な実施形態との関連で更に詳細に説明する。本発明の理解を容易にすべく、本発明の多くの態様を、プログラムされた命令を実行可能なコンピュータシステムその他のハードウェアの要素により実行される動作のシーケンスとして説明している。各々の実施形態において、各種の動作が専用回路（例：特化した機能を実行すべく相互接続された離散的ロジックゲート）により、１個以上のプロセッサにより実行されるプログラム命令により、あるいはその両方の組合せにより実行できる点を理解されたい。更に、本発明はまた、固体メモリ、磁気ディスク、光ディスクまたは搬送波（無線周波数、可聴周波数、または光周波数搬送波）等、本明細書に記載されている技術をプロセッサに実行させるコンピュータ命令の適当な組を含んでいる任意の形式のコンピュータ可読な媒体内に完全に実装できるものと考えられる。このように、本発明のさまざまな態様は多くの異なる形式で実装することができ、そのような全ての形式が本発明の範囲に含まれるものと考えられている。本発明のさまざまな態様の各々について、そのような任意の形式の実施形態を以下で、記載する動作を実行「すべく構成されたロジック」として参照するか、または代替的に、記載する動作を実行する「ロジック」として参照する。
【００２５】
背景節において記載したように、サービス提供ノードＢが任意の数のＨＳ−ＳＣＣＨ出力設定方策を採用可能にしながら、ＨＳ−ＳＣＣＨ上で送信された情報の検知を最適化する、ＵＥにおける方法および装置に対するニーズがある。この問題は特定のＨＳＤＰＡ通信システムを参照して提示および記載されてきたが、他の標準に準拠する通信システムにも同様の問題が存在し得ることが直ちに明らになる。すなわち、他の種類のシステムにおいて受信器が、当該受信器は当該チャネルの特定の出力設定を認識していないチャネル上を送信された情報を検知することが必要な場合がある。本発明の各種の態様の理解を容易にするために、後述する例示的な実施形態をＨＳＤＰＡシステムの関連で示す。しかし、当業者は、関係する原理を容易に認識して、同様の問題が生じる他のシステムにこれらを適合させることができる。
【００２６】
本発明の一態様において、ＵＥは、サービス提供ノードＢによりどのＨＳ−ＳＣＣＨ出力制御機構が使用されているかを推論し、次いでその推論に基づいて自身のＨＳ−ＳＣＣＨ検知技術を適合させる。例えば、ＨＳ−ＳＣＣＨ送信電力が、ダウンリンクＤＰＣＣＨの出力からの出力オフセットを決定することによりダウンリンクＤＰＣＣＨの出力に関係する場合、ＨＳ−ＳＣＣＨ出力とＤＰＣＣＨ出力との間に明らかに高い相関が存在する。ＨＳ−ＳＣＣＨが一定の出力レベルで送信される場合、その代わりにＨＳ−ＳＣＣＨ出力と共通パイロットチャネル（ＣＰＩＣＨ）との相関が求められる。更に、ＨＳ−ＳＣＣＨ送信電力がＣＱＩ報告に関して設定されている場合、ＨＳ−ＳＣＣＨ出力とＣＱＩとの間に高い相関が予想される。従って、ＨＳ−ＳＣＣＨ出力と異なる信号との相関を求めることにより、ＨＳ−ＳＣＣＨ出力がどのように設定されているかに関する情報をＵＥにおいて検知することができる。
【００２７】
これらの技術から推論される出力の設定に基づいて、ＵＥにおいて異なるＨＳ−ＳＣＣＨ検知方策を選択的に採用することができる。例えば、ＨＳ−ＳＣＣＨが出力オフセット値により出力制御されたＤＰＣＣＨに関係する場合、ＳＨＯ内のＨＳＤＰＡサービス提供セルを優先させる出力制御方策を用いることができ、それによりＨＳＤＰＡ非サービス提供セルが出力制御ダウンリンクである期間におけるＨＳ−ＳＣＣＨの性能低下を最小化する。
【００２８】
更に、ＨＳ−ＳＣＣＨ出力がＣＱＩに関係している場合、ＨＳ−ＳＣＣＨのより高度な検知アルゴリズム（例：Ｇ−ＲＡＫＥ）を選択しても、あるいはより保守的なＣＱＩアルゴリズムを適用してもよい。高いＣＱＩ値が良好な信号品質を意味することを想起すると、ＨＳ−ＰＤＳＣＨにおいて速いデータ信号速度で受信することができる。これはまた、ＨＳ−ＳＣＣＨ上を送信されたメッセージが、基地局からより少ない出力を用いて検知できることを意味する。通常、ネットワーク計画において、異なるチャネルにおいて同様の検知性能（符号レートその他のパラメータが同じならば、ＨＳ−ＰＤＳＣＨおよびＨＳ−ＳＣＣＨの検知性能が同じ筈である）を仮定することがしばしばある。しかし、端末の任意の所与の実施形態において、処理能力が限られているためこれは必ずしも成立しない。例えば、ＨＳＤＰＡの処理能力の大部分がＨＳ−ＰＤＳＣＨに投入され、ＨＳ−ＳＣＣＨへの投入は少ないかもしれない。この状況下で、ＣＱＩが高過ぎる場合、ＨＳ−ＳＣＣＨは余りに少ない出力で送信される恐れがあり、これは端末（ＵＥ）がＨＳ−ＳＣＣＨを検知しないことを意味する（しかし、端末がメッセージの意図された受信側であることを認識する方法を有していれば何の問題もなくＨＳ−ＰＤＳＣＨを検知することが恐らく可能であろう）。これに対処すべく、ＨＳ−ＳＣＣＨ出力がＣＱＩと相関を有する場合、端末はＨＳ−ＳＣＣＨ上で検知アルゴリズムを補強することができる（例えば、より多くのＲＡＫＥフィンガーまたは逆スプレッダを適用するか、またはＲＡＫＥの代わりにＧ−ＲＡＫＥを用いることにより）、あるいはＨＳ−ＳＣＣＨ送信電力を増大させるべくより低いＣＱＩ値（若干悪いチャネルを示す）を送信してもよい。
【００２９】
最後に、一定のＨＳ−ＳＣＣＨ出力レベルを用いる場合、さほど高級でないＨＳ−ＳＣＣＨ検知器を用いることにより、ハードウェアおよびデジタル信号プロセッサ（ＤＳＰ）リソースを節約することができる。次いでこれらの節約により、ＵＥ内の電流消費を減らすか、またはＨＳ−ＰＤＳＣＨの検知性能を向上させることができる。
【００３０】
本発明のこれらのおよび他の態様について例示的な実施形態と関連して以下に更に詳述する。
【００３１】
図１に、本発明の例示的な実施形態のブロック図を示す。ＵＥ１００が接続モードにあって、ＨＳＤＰＡセッションが実行中であると仮定する。更に、ＵＥ１００が接続されている（稼動中の組）リンクの個数がｎｂｓであって、ＨＳＤＰＡサービス提供セルがノードＢ１であると仮定する。ノードＢ１からの無線信号を含む合成信号が受信器アンテナ１０１を介して受信される。ノードＢ１からの無線信号は、フロントエンド受信器（ＦｅＲＸ）１０３によりベースバンド信号に下方変換される。当該信号はチャネルおよびＳＩＲ推定ユニット１０５へ送られて、ＣＰＩＣＨを用いて稼動中の組にある全てのリンクについて無線チャネルの推定値
【数１】
2008547247.tif 000003
が生成され、全てのダウンリンクについてＤＰＣＨ  ＳＩＲが導かれる。稼動中の組にある全てのリンクのＤＰＣＨ  ＳＩＲが、ＳＩＲ結合ユニット１０７へ送られて全てのリンクについてＳＩＲが結合され、結果的に得られたＳＩＲをＳＩＲ目標（ＳＩＲｒｅｆ）と比較し、その比較からの結果に基づいてアップリンク送信電力制御（ＴＰＣ）を設定する。結合は通常、稼動中の組にある全てダウンリンクについてのＳＩＲの合計であるが、以下に述べるように、他の方法で実行することもできる。
【００３２】
チャネルおよびＳＩＲ推定ユニット１０５はまた、ＣＰＩＣＨ  ＳＩＲＨＳ、すなわちＨＳＤＰＡサービス提供セルのＣＰＩＣＨについて推定されたＳＩＲを計算して、より高次層に固有の手順に従い、このＣＰＩＣＨ  ＳＩＲＨＳをＣＱＩ値にマッピングするＣＱＩユニット１０９へ送信する。その結果得られたＣＱＩ値は、変調器１１１およびフロントエンド送信器（ＦｅＴＸ）１１３を介してノードＢへ中継される。
【００３３】
フロントエンド受信器１０３からの信号はまた、チャネル推定値およびより高次の層（例：ＵＥ識別）からの情報を用いてＨＳ−ＰＤＳＣＨがＵＥ１００宛てであるか否かを検知するＨＳ−ＳＣＣＨ検知器１１５へ送られる。ＨＳ−ＳＣＣＨ検知器１１５は、少なくとも部分的に、最初は既定パラメータ設定に基づく供給されたパラメータ値（例：使用したフィンガーまたは逆スプレッダの個数／検知器スキーム（例えばＲａｋｅ／Ｇ−Ｒａｋｅ））に基づいて動作する。パケットがＵＥ１００宛てである場合、ＤＰＣＨ検知器１１７は到来してから後続処理のための他のユニット（図示せず）に供給されるＨＳ−ＰＤＳＣＨを検知すべく動作する。このような後続処理は本発明には無関係であって、従来技術において公知である。従って、その詳細をここで説明する必要はない。
【００３４】
ＨＳ−ＳＣＣＨの検知された出力レベルは、ＨＳ−ＳＣＣＨ検知器１１５から、ＨＳ−ＳＣＣＨ出力レベルとＣＰＩＣＨ出力、ＤＰＣＨ  ＳＩＲ、および最後に報告されたＣＱＩ値等の多くの信号との相関を求める相関器１１９への出力である。相関器１１９が出力した相関値は、ある期間にわたり生成された多くの即時比較値をフィルタリングした結果である。相関器１１９からの出力は、ＨＳ−ＳＣＣＨが他のいずれかの信号と相関を有するか否かを検知する制御ユニット（ＣＵ）１２１に供給される。ＨＳ−ＳＣＣＨ出力といずれかの信号との相関が特定の閾値を上回る場合、ＨＳ−ＳＣＣＨ出力設定が当該信号に関係することを示しており、これに応答して、当該出力設定方策用に最適化された特定のＨＳ−ＳＣＣＨ検知パラメータが、他の関連ユニット（例：ＳＩＲ結合ユニット１０７）だけでなくＨＳ−ＳＣＣＨ検知器ユニット１１５にも供給される。次の送信時間間隔（ＴＴＩ）の間、新たなパラメータが用いられる。
【００３５】
ここで説明の焦点を、在相関器１１９により生成された各種の可能な結果に基づく例示的なパラメータ設定の提示に移す。最初に、専用物理チャネル（ＤＰＣＨ）とＨＳ−ＳＣＣＨの間に出力オフセットが存在することを示すようにＨＳ−ＳＣＣＨ出力がＤＰＣＣＨ  ＳＩＲと相関を有することが判定されたと仮定する。この場合、ＳＨＯの間、上述のように性能問題が存在し得ることが知られている。従って、ＳＨＯの間、ＤＰＣＣＨのＳＩＲがＨＳＤＰＡサービス提供セルに対して低い場合（
【数２】
2008547247.tif 000004
を想起されたい）、ＳＩＲ結合ユニット１０７はＳＩＲ１だけに集中すべきであり、この例ではＨＳＤＰＡサービス提供セルのＳＩＲである。当該方策を実行するために、制御ユニット１２１で以下の例示的な規則を使用してよい。
・ＳＩＲ１＜ＳＩＲｒｅｆ−ｋ（ｄＢ）ならば、ＳＩＲ１だけに基づいてアップリンクＴＰＣ（ＵＬ−ＴＰＣ）値を選択する。さもなければ、ＳＩＲの合計に基づいてＵＬ−ＴＰＣ値を選択する。ｋの典型的な値は４−５ｄＢであってよいが、他の実施形態でｋを異なる値に設定することも適当である。
【００３６】
更に、ＨＳ−ＳＣＣＨ出力がＤＰＣＣＨ  ＳＩＲと相関を有する場合、制御ユニット１２１は標準のＲａｋｅ検知器だけを用いるよう更に指定することができる。
【００３７】
次いで代替的にＨＳ−ＳＣＣＨ出力がＣＱＩ報告と相関を有すると判定された場合を考える。ここで、ＵＥはＨＳ−ＳＣＣＨ検知により高い処理負荷を投入すべきである。例えば、より多くの逆スプレッダ（フィンガー）をＨＳ−ＳＣＣＨ検知に割り当て、Ｇ−ＲＡＫＥ検知器が用いることができる。または、ＵＥはＨＳ−ＳＣＣＨにＲＡＫＥ検知器を用いて、より保守的なＣＱＩ値をノードＢに報告することができる。
【００３８】
ここで別の可能性に眼を転じて、ＨＳ−ＳＣＣＨ出力がＣＰＩＣＨ出力に関係していて、ＨＳ−ＳＣＣＨがノードＢから一定の高出力で送信されていることを示すことがわかっている場合を考える。これらの状況において、ＵＥはＨＳ−ＳＣＣＨ検知器のための処理負荷を、少なくともソフト・ハンドオーバーを含まない場合（例：ＵＥがセル境界の近くにない場合）に軽減することができる。処理負荷の軽減は、例えば、ＨＳ−ＳＣＣＨ上の情報を検知するのに比較的少ないフィンガーでＲａｋｅ受信器だけを用いることにより実施することができる。
【００３９】
以下に本発明の態様を、ＵＥ１００において例えば例示的な制御ユニット１２１で実行されるステップのフロー図である図２の関連で更に詳しく説明する。ＵＥが接続モードにあって、ＨＳＤＰＡセッションが実行中であると仮定する（ステップ２０１）。ＵＥ１００は、制御ユニット１２１が示す特定のパラメータ設定／方策を用いてＨＳ−ＳＣＣＨを検知する（ステップ２０３）。ＨＳデータ・パケットがＵＥ１００宛てであるとして検知されたか否かを判定するテストが実行される（判定ブロック２０５）。これが否である（判定ブロック２０５からの「ＮＯ」経路）場合、処理はステップ２０３に戻って次のＴＴＩを待つ。
【００４０】
ＨＳデータ・パケットがＵＥ１００宛てであるとして検知された（判定ブロック２０５からの「ＹＥＳ」経路）場合、ＵＥ１００はＨＳ−ＰＤＳＣＨを受信して検知する（ステップ２０７）。ＨＳ−ＳＣＣＨ出力が測定され、相関器１１９を用いて、当該通信システムで用いる１個以上の他のチャネルに関連付けられた少なくとも２個のパラメータとの相関を求める（ステップ２０９）。当該通信システムで用いる１個以上の他のチャネルに関連付けられた少なくとも２個のパラメータは、例えば上述したＣＰＩＣＨ出力、ＣＱＩ、およびＤＰＣＨ  ＳＩＲのうち任意の２個以上を含んでいてよい。
【００４１】
次いで、いずれかの相関値が所定の相関閾値を上回るか否かを判定するテストが実行される（判定ブロック２１１）。いずれも上回らない（判定ブロック２１１からの「ＮＯ」経路）場合、制御ユニット１２１は次のＨＳ−ＳＣＣＨ検知動作で用いる既定パラメータ設定を選択（ステップ２１３）し、処理はステップ２０３へ戻る。
【００４２】
しかし、いずれかの相関値が所定の相関閾値を上回る（判定ブロック２１１からの「ＹＥＳ」経路）場合、制御ユニット１２１は相関器１１９が生成した結果に基づいて、ＨＳ−ＳＣＣＨ検知方策およびパラメータ設定を選択する（ステップ２１５）。２個以上の相関が閾値を上回る場合、例示的な実施形態は、相関が最も高いＨＳ−ＳＣＣＨ検知方策およびパラメータ設定の基礎を置くことができる。２個の相関値が同一であるとみなされる場合、方策を組み合わせて用いてもよい。例えば、相関が「ＣＰＩＣＨに関して定出力」および「ＣＱＩに基づく出力」の両方を示す場合、受信器は、より保守的なＣＱＩ報告が送られ、且つＨＳ−ＳＣＣＨ検知に用いるＲＡＫＥフィンガーの数が一定に保たれる方策を採用することができる。他の組合せも同様に用いてよい。選択された検知方策およびパラメータ設定は次のＨＳ−ＳＣＣＨ検知動作を行なう間用いられ、次いで処理はステップ２０３へ戻る。
【００４３】
本発明を特定の実施形態に関して記載してきた。しかし、本発明を上述の実施形態以外の特定の形式で実施可能であることは当業者には直ちに明らかであろう。
【００４４】
例えば、本明細書に示す例示的な実施形態は、ＨＳ−ＳＣＣＨの測定された出力が他のチャネルの信号対干渉比と相関を有するか否かを判定する可能性を記載している。しかし、これは代替的に、ＨＳ−ＳＣＣＨの測定された出力が信号対雑音比と相関を有するか否か判定することにより実現できる。これは、雑音が干渉および熱雑音を含んでいるためである。ＣＤＭＡシステムにおける干渉は、帯域を跨って拡がり、雑音床領域のレベルを有する雑音状になる。従って、本発明の目的のために、このようなシステムにおける信号対干渉比の代わりに信号対雑音比を用いることができる。本明細書および特許請求の範囲で用いる「信号対雑音比」という用語は、より正確に「信号対干渉比」と称されるものと同様に、真の信号対雑音比に対応するものと解釈する。
【００４５】
記載されている実施形態は、あくまで説明を目的とするものであり、決して限定されるものとみなすべきではない。本発明の範囲は上の説明ではなく、添付の特許請求の範囲により与えられ、特許請求の範囲に含まれるあらゆる変型および等価物はその中に包含されるものと意図している。
【図面の簡単な説明】
【００４６】
【図１】本発明の例示的な実施形態のブロック図を示す。
【図２】本発明によるＵＥにおいて実行される例示的なステップのフロー図を示す。
【図１】
2008547247.tif 000005
【図２】
2008547247.tif 000006
【国際調査報告】
2008547247.tif 000007
2008547247.tif 000008